(57)【特許請求の範囲】
【請求項１】
複数のアンテナを用いて受信した希望信号に含まれるフレーム同期信号の位置を検出する受信機において、
全てのアンテナについて、それぞれのアンテナにより受信した信号の１フレーム分のデータを記憶保持する記憶手段と、
前記記憶手段に記憶保持される１フレーム分のデータに対して、複数のアンテナ指向性パターンに対応した重み付けを行うための複数の係数ベクトルを記憶した係数ベクトル記憶手段と、
複数の係数ベクトルのそれぞれについて、前記記憶手段に記憶保持された１フレーム分のデータに対して重み付けをして総和することによりこれら複数の指向性パターンのそれぞれに対応した総和信号を生成する生成手段と、
生成した各総和信号と予め用意されたフレーム同期信号パターンとを乗算して当該各総和信号と当該フレーム同期信号パターンとの相関値を算出することを複数の乗算タイミングで行う算出手段と、
最大の相関値が算出された乗算タイミングに対応した信号位置を希望信号に含まれるフレーム同期信号の位置として検出する検出手段と、
を備えたことを特徴とする受信機。
【請求項２】
複数のアンテナを用いて受信した希望信号に含まれるフレーム同期信号の位置を検出する基地局装置において、
全てのアンテナについて、それぞれのアンテナにより受信した信号の１フレーム分のデータを記憶保持する記憶手段と、
前記記憶手段に記憶保持される１フレーム分のデータに対して、複数のアンテナ指向性パターンに対応した重み付けを行うための複数の係数ベクトルを記憶した係数ベクトル記憶手段と、
複数の係数ベクトルのそれぞれについて、前記記憶手段に記憶保持された１フレーム分のデータに対して重み付けをして総和することによりこれら複数の指向性パターンのそれぞれに対応した総和信号を生成する生成手段と、
生成した各総和信号と予め用意されたフレーム同期信号パターンとを乗算して当該各総和信号と当該フレーム同期信号パターンとの相関値を算出することを複数の乗算タイミングで行う算出手段と、
最大の相関値が算出された乗算タイミングに対応した信号位置を希望信号に含まれるフレーム同期信号の位置として検出する検出手段と、
を備え、検出したフレーム同期信号の位置に基づいた受信タイミングで希望信号を受信処理することを特徴とする基地局装置。
【請求項３】
複数のアンテナを用いて受信した希望信号に含まれるフレーム同期信号の位置を検出する移動局装置において、
全てのアンテナについて、それぞれのアンテナにより受信した信号の１フレーム分のデータを記憶保持する記憶手段と、
前記記憶手段に記憶保持される１フレーム分のデータに対して、複数のアンテナ指向性パターンに対応した重み付けを行うための複数の係数ベクトルを記憶した係数ベクトル記憶手段と、
複数の係数ベクトルのそれぞれについて、前記記憶手段に記憶保持された１フレーム分のデータに対して重み付けをして総和することによりこれら複数の指向性パターンのそれぞれに対応した総和信号を生成する生成手段と、
生成した各総和信号と予め用意されたフレーム同期信号パターンとを乗算して当該各総和信号と当該フレーム同期信号パターンとの相関値を算出することを複数の乗算タイミングで行う算出手段と、
最大の相関値が算出された乗算タイミングに対応した信号位置を希望信号に含まれるフレーム同期信号の位置として検出する検出手段と、
を備え、検出したフレーム同期信号の位置に基づいた受信タイミングで希望信号を受信処理することを特徴とする移動局装置。
【発明の詳細な説明】
【０００１】
【発明の属する技術分野】
本発明は、複数のアンテナを用いて希望信号を受信する受信機や基地局装置や移動局装置に関し、特に、例えば比較的大きい干渉信号が存在する環境においても、希望信号に含まれるフレーム同期信号の位置を簡易な構成で検出する技術に関する。
【０００２】
【従来の技術】
例えばデジタル無線通信では、受信側の装置が受信した信号フレームの先頭位置を検出することを可能とするために、送信側の装置が送信対象となるデータ信号の先頭にフレーム同期信号を付加して送信することが行われる。送信側の装置と受信側の装置とでは例えば予め同一のフレーム同期信号のパターンが設定されており、受信側の装置では、受信信号と当該フレーム同期信号パターンとの複素相関値を算出することにより、フレーム同期信号の位置（すなわち、受信信号フレームの先頭位置）を検出することができる。
【０００３】
具体的には、一般に、フレーム同期信号としてはＭ系列等の鋭い相関特性を有する特定の信号が用いられ、これにより、フレーム同期信号以外の信号とフレーム同期信号との複素相関値がフレーム同期信号同士の複素相関値と比べて小さくなるようになっている。このため、例えば受信信号とフレーム同期信号パターンとの乗算タイミングをずらしていって、当該受信信号と当該フレーム同期信号パターンとの複素相関値が一定の閾値を超えた場合に、その乗算タイミングに対応した信号位置をフレーム同期信号の位置として検出することができる。
【０００４】
図８（ａ）には、受信側の装置の受信機に備えられるフレーム同期信号検出回路の一例を示してあり、その動作例を示す。
すなわち、まず、受信信号を直交検波することにより得られた複素ベースバンド信号がＡ／Ｄ変換回路６１によりアナログ信号からデジタル信号へ変換され、変換された複素ベースバンド（デジタル）信号とフレーム同期信号パターンとの複素相関演算が複素相関回路６２により行われる。そして、この複素相関演算により得られた複素相関値（相関電力値）が複素相関回路６２から出力されて、当該複素相関値と所定の閾値とが比較回路６３により比較され、当該閾値より大きい複素相関値が算出された複素ベースバンド信号位置がフレーム同期信号の位置として検出される。
【０００５】
ここで、２つの信号の複素相関値は例えばこれら２つの信号を複素乗算したものを時間積分することにより得られ、一例として、ｊ個の信号成分Ａ１〜Ａｊから構成されたデジタル信号とｊ個の信号成分Ｂ１〜Ｂｊから構成されたデジタル信号との複素相関値Ｐは、Ｐ＝Ａ１・Ｂ１＋Ａ２・Ｂ２＋・・・＋Ａｊ・Ｂｊにより算出される。
また、上記した所定の閾値としては、例えばフレーム同期信号の長さや適用されるシステムの使用状況等に応じて、適切な値に設定される。
【０００６】
また、同図（ｂ）には、Ａ／Ｄ変換回路６１に入力される複素ベースバンド信号の一例を示してあり、この複素ベースバンド信号にはデータ信号の先頭にフレーム同期信号（ＵＷ）が含まれている。
また、同図（ｃ）には、複素相関演算により得られる複素相関値の一例を示してあるとともに、同図（ｄ）には、閾値を超える複素相関値が得られたときのフレーム同期信号パターンの乗算タイミングを示してある。同図（ｃ）に示されるように、無線回線による通信状況が良好であるときには、フレーム同期信号が含まれる位置でのみ閾値を超える複素相関値のピークが検出される。
【０００７】
しかしながら、上記図８（ａ）に示したようなフレーム同期信号検出回路では、例えば希望信号（受信を希望する通信相手からの信号）と等しいレベル以上の同一チャネル干渉電力が存在するような環境においては、希望信号に含まれるフレーム同期信号が干渉信号に埋もれてしまうことから、フレーム同期信号が含まれる位置での複素相関値の大きさとデータ信号（干渉信号も含まれる）が含まれる位置での複素相関値の大きさとの間に差が生じなくなってしまうため、フレーム同期信号の位置を検出することが困難になってしまうといった問題があった。特に、干渉信号の電力が希望信号の電力の２倍以上になってしまうような環境においては、フレーム同期信号の位置を検出することが不可能になってしまう。
【０００８】
上記のような問題を解消する有効な手段として、例えばアダプティブアレイアンテナを用いて同一チャネルの干渉信号を除去する手段が知られている。
具体的には、アダプティブアレイアンテナでは、複数のアンテナ素子から構成されたアレイアンテナを用いて信号を受信し、当該受信信号（複素入力ベクトル）に乗算する複素アンテナ係数ベクトルを適応アルゴリズムにより最適化することが行われ、これにより、干渉信号が到来する方向にヌルを向けたアンテナ指向性を実現して干渉信号を除去することができる。
【０００９】
一例として、図９（ａ）には、基準点（同図（ａ）に示した座標中心の０点）にアレイアンテナが存在し、希望信号（希望波）が３０゜の角度方向から到来し、干渉信号（干渉波）が３３０゜の角度方向から到来するとした場合に、アダプティブアレイアンテナの適応処理が適切に行われたときの指向性パターンの一例を示してある。同図（ａ）に示されるように、指向性パターンの制御が成功すると、希望信号の到来方向にメインローブ（到来方向毎に利得の異なる指向性パターンのうち、利得が最大となる方向を含む指向性パターン）を向ける一方、干渉信号の到来方向にヌル（利得がゼロとなる指向性パターン）を向けることができ、これにより、干渉信号を抑圧して希望信号を受信することができる。
【００１０】
なお、アダプティブアレイアンテナの適応処理を行うための適応アルゴリズムとしては様々なものがあるが、その中でも、例えば「The CM Array : An Adaptive Beamformer for Constant Modulus Signals, R.Gooch and J.Lundell,Proc.ICASSP,4,pp.2523-2526(1986-04)」に記載されたＣＭＡ（Constant Modulus Algorithm）は、その処理が比較的容易でトレーニング信号が不要であるという特徴を有していることから、一般に広く採用されている。しかしながら、ＣＭＡ処理では、最大電力が検出される角度方向にメインローブを向けるようにアダプティブアレイアンテナが制御されてしまうため、受信信号に含まれる干渉信号の電力が大きい場合には、適切な初期値を与えられなければ、希望信号の方向にヌルを向けることになってしまうといった問題があった。
【００１１】
一例として、図９（ｂ）には、例えば上記図９（ａ）と同様な場合に、指向性パターンの制御が失敗したときの指向性パターンの一例を示してある。同図（ｂ）に示されるように、指向性パターンの制御が失敗すると、ＣＭＡ処理により得られる受信信号では希望信号が抑圧されてしまい、この結果、希望信号に含まれるフレーム同期信号を検出することが困難になってしまう。
【００１２】
なお、上記したＣＭＡ等の適応制御アルゴリズムを用いたものとして、例えば特開平７−２４５５２６号公報に記載されたアレーアンテナの制御方法及び制御装置では、複数設けられたＣＭＡ処理器の初期値の設定の仕方を工夫することで、直接波と少なくとも１つの遅延波を分離して受信することを実現している。また、例えば特開平１１−１５０４１１号公報に記載されたアレーアンテナの制御方法及び制御装置では、ＣＭＡ処理やＬＭＳ（Least Mean Square）アルゴリズム処理を用いて、送受信の周波数が異なる場合においても送信時に受信時の所望信号方向及び干渉信号方向と同一方向にそれぞれ主ビーム及び零点（ヌル点）を向けることを実現している。
【００１３】
なお、例えば参照信号を用いて適応信号処理を行うＬＭＳアルゴリズムのような方式を用いてアダプティブアレイアンテナを制御する構成や、参照系列を用いて干渉信号を除去するような方式を用いてアダプティブアレイアンテナを制御する構成では、フレーム同期を確立することが前提となるため、フレーム同期信号の検出が困難である干渉信号電力が大きい環境においては十分な性能を得ることができない。
【００１４】
そこで、上記のようなＣＭＡ処理等を用いた場合の問題を解消するものとして、例えばアダプティブアレイアンテナの制御を行いながらフレーム同期信号を検出する方式が提案されており、この方式の一例が「移動通信用アダプティブアレイのフレーム同期確立方法とその特性、府川、電子情報通信学会技術報告、ＲＣＳ９９−８１（１９９９−８）」に記載されている。
【００１５】
しかしながら、この方式では、例えば同一チャネルの干渉信号が存在する環境下においても比較的良好なフレーム同期特性を得ることができるものの、信号処理に逐次最小自乗法（ＲＬＳ）が用いられることから、処理が非常に複雑になるとともに計算精度も部分的に高精度な計算が要求されるため、装置化するに際して消費電力の増大や回路規模の増大が障害となってしまうといった不具合があった。
【００１６】
【発明が解決しようとする課題】
上記従来例で示したように、従来の受信機等では、例えばアダプティブアレイアンテナのように複数のアンテナを用いて信号を受信するに際して、干渉信号が存在する環境においても希望信号に含まれるフレーム同期信号の位置を正しく検出することを簡易な構成で行うことができないといった不具合があった。
【００１７】
本発明は、このような従来の課題を解決するためになされたもので、複数のアンテナを用いて希望信号を受信するに際して、例えば比較的大きい干渉信号が存在する環境においても、希望信号に含まれるフレーム同期信号の位置を簡易な構成で正しく検出することができる受信機や基地局装置や移動局装置を提供することを目的とする。
【００１８】
【課題を解決するための手段】
上記目的を達成するため、本発明に係る受信機では、次のようにして、複数のアンテナを用いて受信した希望信号に含まれるフレーム同期信号の位置を検出する。
すなわち、生成手段がそれぞれのアンテナにより受信した信号を複数の重み付けをして総和することによりこれら複数の指向性に対応した総和信号を生成し、算出手段が生成した各総和信号と予め用意されたフレーム同期信号パターンとを乗算して当該各総和信号と当該フレーム同期信号パターンとの相関値を算出することを複数の乗算タイミングで行い、検出手段が最大の相関値が算出された乗算タイミングに対応した信号位置を希望信号に含まれるフレーム同期信号の位置として検出する。
【００１９】
従って、複数の指向性に対応した各総和信号とフレーム同期信号パターンとの相関値が複数の乗算タイミングで算出されて、最大の相関値が算出された乗算タイミングに対応した信号位置がフレーム同期信号の位置として検出されるため、例えば比較的大きい干渉信号が存在するような環境においても、希望信号に含まれるフレーム同期信号とフレーム同期信号パターンとの相関値が最大の相関値となることから、当該フレーム同期信号の位置を正しく検出することができる。なお、希望信号は、最大の相関値が算出された総和信号に最も大きく含まれているとみなすことができる。また、本発明では、例えば後述する実施例で示すように、ＣＭＡ処理等の適応制御アルゴリズムを用いた従来の装置と比べて、簡易な構成でフレーム同期信号の位置を検出することが可能である。
【００２０】
また、本発明に係る基地局装置や本発明に係る移動局装置では、例えば上記と同様な処理を行う生成手段や算出手段や検出手段を備え、検出手段により検出したフレーム同期信号の位置に基づいた受信タイミングで希望信号を受信処理することを行い、これにより、上記した本発明に係る受信機と同様な効果を得ることができる。
【００２１】
【発明の実施の形態】
本発明の第１実施例に係る受信機を図面を参照して説明する。
なお、本発明に係る受信機の特徴的な構成部分は、フレーム同期信号の位置を検出する構成部分であるため、本例では、主として、当該構成部分を詳しく説明し、他の構成部分については説明を省略する。
【００２２】
図１には、本例の受信機に備えられたフレーム同期信号検出回路の構成例を示してあり、このフレーム同期信号検出回路には、複数（本例では、２以上のｋ個）のアンテナＴ１〜Ｔｋから構成されたアレイアンテナと、各アンテナＴ１〜Ｔｋにより受信した信号から各アンテナブランチの複素ベースバンド（デジタル）信号を取得する直交検波回路１と、取得した全て（ｋ個）のアンテナブランチの複素ベースバンド信号について１フレーム分のデータ（フレームデータ）を記憶保持する記憶回路２と、記憶保持されたフレームデータを用いてアンテナ指向性を制御した受信データ（指向性付きフレームデータ）を算出するビームフォーミング回路３と、算出された指向性付きフレームデータとフレーム同期信号パターンとの複素相関値を算出してフレーム同期信号の位置を検出する複素相関回路４とが備えられている。
【００２３】
以下で、上記したフレーム同期信号検出回路の更に詳しい構成例及び動作例を説明する。
各アンテナＴ１〜Ｔｋは、送信側の装置から無線送信される信号を受信して直交検波回路１へ出力する機能を有している。なお、これら複数のアンテナＴ１〜Ｔｋの配置の仕方としては、例えば直線状に並べる仕方や方形状に並べる仕方や円状に並べる仕方等の種々な配置の仕方を用いることが可能である。
【００２４】
直交検波回路１は、ｋ個のアンテナＴ１〜Ｔｋのそれぞれから入力される信号を直交検波して得られる複素ベースバンド（デジタル）信号を記憶回路２へ出力する機能を有している。
記憶回路２は、直交検波回路１から入力されるｋ個の複素ベースバンド信号についてそれぞれ１フレーム分のデータ（フレームデータ）を記憶保持し、ビームフォーミング回路３からのアクセスに応じて当該フレームデータをビームフォーミング回路３へ出力する機能を有している。
【００２５】
ビームフォーミング回路３は、記憶回路２にアクセスして当該記憶回路２に記憶保持されたフレームデータを読み出し、読み出したフレームデータを用いてアンテナ指向性を制御した受信データ（指向性付きフレームデータ）を複数のアンテナ指向性について算出して、算出した指向性付きフレームデータを複素相関回路４へ出力する機能を有している。
【００２６】
ここで、図２には、例えば４ブランチ（ブランチ＃１〜＃４）アレイアンテナが用いられた場合（すなわち、アンテナの総数ｋが４である場合）のビームフォーミング回路３の具体的な構成例を示してある。この場合、同図に示されるように、ビームフォーミング回路３は、例えば複数（本例では、以下で示すように３６種類）の指向性パターンに対応したアンテナ係数ベクトルを記憶したレジスタ等の指向性パターンメモリ１１と、４個の乗算器１２〜１５と、１個の加算器１６とから構成される。
【００２７】
また、この場合、フレームデータＤ１は、４個のアンテナＴ１〜Ｔ４のそれぞれにより得られる４個の複素ベースバンド（デジタル）信号のデータＸ１（ｎ）、Ｘ２（ｎ）、Ｘ３（ｎ）、Ｘ４（ｎ）から構成される。ここで、ｎは時刻（本例では、サンプリング時間を単位とした時刻であって、すなわち、例えばデータＸ１（ｎ）とデータＸ１（ｎ＋１）との間の時間が時刻ｎの単位となる）を示し、１つのフレームデータＤ１には１フレーム分の時間に対応した複数の時刻のデータが含まれている。
【００２８】
また、本例では、アンテナ指向性を例えば１０゜ステップで全方位（３６０゜）に走査させることとし、この場合には、３６種類の指向性パターンに対応した３６種類のアンテナ係数ベクトルＷ（０）〜Ｗ（３５）が予め算出されて指向性パターンメモリ１１に格納される。
【００２９】
ここで、同図の例では、各アンテナ係数ベクトルＷ（ｍ）はそれぞれ４個の複素アンテナ係数Ｗ１（ｍ）〜Ｗ４（ｍ）から構成されたベクトルであり（０≦ｍ≦３５）、また、上記したフレームデータＤ１が４個のデータＸ１（ｎ）〜Ｘ４（ｎ）から構成されたベクトル（以下で、フレームデータベクトルと言う）Ｘ（ｎ）であるとみなすと、各アンテナ係数ベクトルＷ（ｍ）とフレームデータベクトルＸ（ｎ）との内積値が当該各アンテナ係数ベクトルＷ（ｍ）に対応した指向性パターンを実現した受信データ（指向性付きフレームデータ）となる。この例では、各アンテナ係数ベクトルＷ（０）、Ｗ（１）、Ｗ（２）、Ｗ（３）・・・、Ｗ（３５）はそれぞれアレイアンテナのメインローブを０゜、１０゜、２０゜、３０゜、・・・、３５０゜方向に向けることができる指向性パターンを実現するように設定されている。
【００３０】
上記した４個の乗算器１２〜１５及び１個の加算器１６では上記したフレームデータベクトルＸ（ｎ）と各アンテナ係数ベクトルＷ（０）〜Ｗ（３５）との内積値を算出することが行われ、このようにして算出される３６種類の１フレーム分の内積値ｙ（０、ｎ）〜ｙ（３５、ｎ）がそれぞれの指向性パターンに対応した指向性付きフレームデータＤ２として加算器１６から複素相関回路４へ出力される。なお、上記したフレームデータＤ１と同様に、１つの指向性付きフレームデータＤ２には１フレーム分の時間に対応した複数の時刻のデータが含まれている。
【００３１】
ここで、具体的に、フレームデータベクトルＸ（ｎ）を式１で示し、各アンテナ係数ベクトルＷ（ｍ）を式２で示すと、これらの内積値ｙ（ｍ、ｎ）は式３で示される。なお、式１及び式２中の”Ｔ”は転置を示し、式３中の”＊”は複素共役を示す。また、ｍは上記したように３６種類の指向性パターンを示し、０≦ｍ≦３５である。また、１フレームの長さ（例えば１フレーム分のデジタルデータの数）をＬとするとともに、オーバーサンプルの数をＭとすると、１≦ｎ≦ＬＭとなる。
【００３２】
【数１】
0004384775.tif 000002
【００３３】
【数２】
0004384775.tif 000003
【００３４】
【数３】
0004384775.tif 000004
【００３５】
上記式３により得られる３６種類の１フレーム分の内積値ｙ（０、ｎ）〜ｙ（３５、ｎ）は、それぞれ１０゜間隔で３６種類の角度方向にメインローブを向けた場合のＬワードの複素ベースバンド（デジタル）信号（すなわち、３６種類の各指向性パターンに対応した指向性付きフレームデータ）に相当する。そして、３６種類の指向性付きフレームデータの中には、例えば希望信号方向の電波を抽出したものもあれば、例えば干渉信号方向の電波を抽出したものもある。
【００３６】
一例として、例えば図３中に示される基準点（同図に示した座標中心の０点）にアレイアンテナが設置されているとすると、上記したｍの値を０、１、２、・・・、３５と変化させて内積値ｙ（ｍ、ｎ）を算出することは、当該基準点から見たアレイアンテナのメインローブ方向を０°、１０°、２０°、・・・、３５０°と１０°ステップで変化させて内積値ｙ（ｍ、ｎ）を算出することに相当する。
【００３７】
また、同図に示されるように、希望信号（希望波）が３０゜の角度方向から到来し、干渉信号（干渉波）が３３０゜の角度方向から到来するとした場合には、ｍ＝３としたときの内積値ｙ（３、ｎ）から構成される指向性付きフレームデータが希望信号の方向にメインローブを向けたときの指向性パターン（同図中に“＊１”で示したパターン）で受信した複素ベースバンド（デジタル）信号となり、また、ｍ＝３３としたときの内積値ｙ（３３、ｎ）から構成される指向性付きフレームデータが干渉信号の方向にメインローブを向けたときの指向性パターン（同図中に“＊２”で示した）で受信した複素ベースバンド（デジタル）信号となる。
【００３８】
また、例えばｍ＝１８としたときの内積値ｙ（１８、ｎ）から構成される指向性付きフレームデータは１８０°の方向にメインローブを向けたときの指向性パターン（同図中で“＊３”で示したパターン）で受信した複素ベースバンド（デジタル）信号に相当し、この信号には希望信号の情報も干渉信号の情報もあまり含まれないことになる。
【００３９】
なお、同図中では、説明の便宜上から、それぞれのアンテナ指向性のパターン（“＊１”〜“＊３”）を単一方向のパターンとして示したが、実際のアンテナ指向性パターンにはメインローブばかりでなくサイドローブ（メインローブ、ヌルを除く他の指向性パターン）が存在するため、同図中に示したように単一方向にシャープなメインローブのみが存在するといったことは実現されにくい。例えば、希望信号が到来する角度方向以外の角度方向に対応した信号成分の減衰量やビーム幅はアンテナの数やアンテナの配置の仕方やアンテナ係数ベクトルＷ（０）〜Ｗ（３５）の生成手法等に依存するため、アンテナビームを制御する処理は、適用するシステムの使用状況等に応じて調整される。
【００４０】
ここで、上記したアンテナ係数ベクトルＷ（０）〜Ｗ（３５）を算出するために用いられるアレイアンテナビーム形成手法としては、どのような手法が用いられてもよいが、例えば共相等振幅励振の手法や低サイドローブ励振の手法が知られており、これらの手法を用いることができる。なお、これらの手法は例えば「マルチビームアレーアンテナを用いたＣＤＭＡシステムの検討、北原、小川、信学技報ＲＣＳ９８−２３１、１９９９−０２」に記載されている。
【００４１】
具体的には、上記した共相等振幅励振の手法では、所定の角度（θ）方向から到来する信号が等振幅で同相合成されるようなアンテナ係数ベクトルを生成することが行われ、このようにして生成したアンテナ係数ベクトルにより当該角度方向に最大指向特性を向けることができる。また、上記した低サイドローブ励振の手法では、希望信号が到来する角度方向以外の角度方向から到来する干渉信号の受信レベルが低減されるようなアンテナ係数ベクトルを生成することが行われ、このようにして生成したアンテナ係数ベクトルにより希望信号以外の指向特性を低くすることができる。
【００４２】
また、例えばアレイアンテナを構成する複数のアンテナＴ１〜Ｔｋの配置間隔を調整することにより多数のヌル点をアンテナ指向性パターンに生成する手法も知られている。このようなアンテナ間隔を調整する手法は、一例として、アンテナ数の制限等に起因して生成可能なメインローブのビーム幅が広くなってしまうようなアレイアンテナを備えたシステムに適用すると有効であり、つまり、多数のヌル点を有するビームを生成してビームフォーミングを行うことで、干渉信号の到来方向がヌル点に一致する可能性が高まるため、フレーム同期信号の検出確率を向上させることができる。
【００４３】
なお、例えば「基地局アンテナ指向性切換えあるいはスペースダイバーシチによる下り制御チャネル伝送方式、太郎丸、大石、赤岩、電子情報通信学会論文誌、Ｂ−II  Ｖｏｌ．Ｊ８０−Ｂ−II  Ｎｏ．６  ｐｐ．４２９−５００  １９９７−６」には、４つのアンテナ素子を３．２５λ（λは信号の波長）間隔で正方形状に配置してアレイアンテナを構成するとスペースダイバーシチに近い特性となって有効であることが記載されている。
【００４４】
複素相関回路４は、ビームフォーミング回路３から入力される指向性付きデータフレームとフレーム同期信号パターンとの複素相関演算を行って、当該演算結果に基づいて希望信号に含まれるフレーム同期信号の位置を検出し、検出したフレーム同期信号の位置の情報（フレーム同期信号位置情報）を出力する機能を有している。なお、フレーム同期信号パターンとしては例えば送信側の装置と受信側の装置（本例では、受信機）とで予め共通のパターンが用意されており、送信側の装置では当該パターンと同じパターンを有するフレーム同期信号を送信フレーム（例えば上記図８（ｂ）に示したようにデータ信号の先頭）に含めて無線送信する。
【００４５】
ここで、図４には、複素相関回路４の具体的な構成例を示してあり、この複素相関回路４は、例えば指向性付きフレームデータＤ２とフレーム同期信号パターンとの複素相関演算を行う複素相関演算回路２１と、算出された（複素）相関値の中から最大の相関値を検出等する最大値検出回路２２とから構成されている。また、複素相関演算回路２１は、例えば３個の遅延線３１〜３３と、４個の複素乗算器３４〜３７と、１個の加算器３８とから構成されている。
【００４６】
本例の複素相関回路４では、フレーム同期信号の位置を検出する仕方として、最もシンプルで簡易な仕方である最大の相関値を検出する仕方を用いており、以下で、これを具体的に説明する。なお、以下では、フレーム同期信号の長さが２であり、オーバーサンプルの数Ｍが２である場合を例として示す。
【００４７】
例えばフレーム同期信号パターンをベクトルとして表したもの（以下で、複素フレーム同期信号系列ベクトルと言う）ＵＷが式４で示される場合には、当該複素フレーム同期信号系列ベクトルＵＷと上記した各内積値（指向性付きフレームデータ）ｙ（ｍ、ｎ）との相関値ｃｏｒｒ（ｍ、ｎ）は式５で示される。なお、式４中の“Ｔ”は転置を示し、式５中の“＊”は複素共役を示す。
【００４８】
【数４】
0004384775.tif 000005
【００４９】
【数５】
0004384775.tif 000006
【００５０】
ここで、上記したように０≦ｍ≦３５であるとともに１≦ｎ≦ＬＭであり、上記式５に示した相関値ｃｏｒｒ（ｍ、ｎ）は全てのｍ、ｎの組合せについて算出される。なお、この場合、ｎ＝ＬＭ−２やｎ＝ＬＭ−１やｎ＝ＬＭとなる指向性付きフレームデータＤ２の末尾では、上記式５で示される相関値ｃｏｒｒ（ｍ、ｎ）を算出するための４個の内積値ｙ（ｍ、ｎ）がそろわなくなるが、そろわない部分についてはｎがｎ−ＬＭであるとみなして（すなわち、指向性付きフレームデータＤ２の末尾と先頭とがつながっているものとみなして）先頭に位置する内積値（ｙ（ｍ、１）やｙ（ｍ、２）やｙ（ｍ、３））を用いて相関値ｃｏｒｒ（ｍ、ｎ）を算出する。
【００５１】
また、上記式５に示される相関値ｃｏｒｒ（ｍ、ｎ）は上記図４に示した複素相関演算回路２１により算出され、これを具体的に説明する。
すなわち、例えば内積値ｙ（ｍ、ｎ＋３）が複素乗算器３４に入力されるときには、１つの遅延線３１による１サンプル分の遅延により内積値ｙ（ｍ、ｎ＋２）が複素乗算器３５に入力され、２つの遅延線３１、３２による２サンプル分の遅延により内積値ｙ（ｍ、ｎ＋１）が複素乗算器３６に入力され、３つの遅延線３１〜３３による３サンプル分の遅延により内積値ｙ（ｍ、ｎ）が複素乗算器３７に入力される。
【００５２】
また、各複素乗算器３４〜３７にはそれぞれ予め設定された複素フレーム同期信号系列ベクトルＵＷの各成分ＵＷ１〜ＵＷ４が入力され、これにより、複素乗算器３４では内積値ｙ（ｍ、ｎ＋３）と成分ＵＷ４とが乗算され、複素乗算器３５では内積値ｙ（ｍ、ｎ＋２）と成分ＵＷ３とが乗算され、複素乗算器３６では内積値ｙ（ｍ、ｎ＋１）と成分ＵＷ２とが乗算され、複素乗算器３７では内積値ｙ（ｍ、ｎ）と成分ＵＷ１とが乗算される。
そして、上記した４個の複素乗算器３４〜３７により得られる４個の乗算結果が加算器３８で加算されることにより、当該加算結果が上記式５に示される相関値ｃｏｒｒ（ｍ、ｎ）として加算器３８から最大値検出回路２２へ出力される。
【００５３】
次に、最大値検出回路２２では、加算器３８から入力される（ｍ×ｎ）個の相関値ｃｏｒｒ（ｍ、ｎ）の中で、その絶対値（相関値電力）｜ｃｏｒｒ（ｍ、ｎ）｜が最大となるｎの値を検出し、当該ｎの値に対応した信号位置（例えば時刻ｎから時刻（ｎ＋３）までの信号位置）がフレーム同期信号の位置であるとみなして、当該フレーム同期信号の位置の情報をフレーム同期信号位置情報として出力する。なお、希望信号は、相関値電力｜ｃｏｒｒ（ｍ、ｎ）｜が最大となるｍの値に対応した指向性パターンを実現したときに最も大きく受信される（すなわち、メインローブが希望信号の方向に向けらる）とみなすことができる。
【００５４】
図５には、例えばｍ＝ｍｍａｘであるときの指向性パターンのメインローブ方向に希望信号が存在するとともに、ｎ＝ｎｍａｘに対応した信号位置にフレーム同期信号の先頭が存在するとした場合において算出される３６種類の相関値電力｜ｃｏｒｒ（ｍ、ｎ）｜の一例を示してある。なお、同図に示したグラフの３つの軸は、同図に示されるように、それぞれｎとｍと｜ｃｏｒｒ（ｍ、ｎ）｜を示している。
【００５５】
この場合には、同図に示されるように、ｍ＝ｍｍａｘに対応した相関値電力｜ｃｏｒｒ（ｍｍａｘ、ｎ）｜中に相関値が最大となるピークが検出され、当該ピークに相当するｎ＝ｎｍａｘに対応した相関値電力｜ｃｏｒｒ（ｍｍａｘ、ｎｍａｘ）｜が現れる信号位置がフレーム同期信号の位置として検出される。
【００５６】
以上のように、本例の受信機では、複数のアンテナＴ１〜Ｔｋを用いて希望信号を受信するに際して、複数（本例では、３６種類）のアンテナ指向性に対応した指向性付きフレームデータを算出して、これら全ての指向性付きフレームデータについてフレーム同期信号パターンとの複素相関演算を行うことにより、最大の相関値電力が得られたアンテナ指向性により希望信号を最も大きく受信することができるものとみなすことができるとともに、最大の相関値電力が得られた信号位置を希望信号に含まれるフレーム同期信号の位置とみなして検出することができる。
【００５７】
従って、本例の受信機では、例えば希望信号と等しい電力レベル以上の干渉信号が存在するような環境においても、希望信号に含まれるフレーム同期信号とフレーム同期信号パターンとの相関値が最大の相関値となることから、当該フレーム同期信号の位置を正しく検出することができる。また、本例の受信機では、例えばベースバンド信号処理のみによりビームフォーミングを行うことが可能であるため、ＣＭＡ処理等の適応制御アルゴリズムを用いた従来の装置と比べて、装置のＬＳＩ化や低消費電力化や小型化に適している。
【００５８】
このように、本例の受信機では、例えば従来のような適応制御アルゴリズムを用いることなく、複素相関演算を行うという簡易な構成により、希望信号の受信に適したアンテナの指向性パターンを特定することができるとともに、希望信号に含まれるフレーム同期信号の位置を検出することができる。
【００５９】
ここで、本例では、アレイアンテナを構成する複数のアンテナＴ１〜Ｔｋが本発明に言う複数のアンテナに相当する。なお、アンテナの数としては、複数であれば特に限定はなく、種々な数であってもよい。
【００６０】
また、本例では、ビームフォーミング回路２がそれぞれのアンテナＴ１〜Ｔｋにより受信した信号（本例では、フレームデータ）を複数の重み付け（本例では、Ｗ（０）〜Ｗ（３５）に対応した３６種類の重み付け）をして総和することによりこれら複数の指向性に対応した総和信号（本例では、指向性付きフレームデータ）を生成する機能により、本発明に言う生成手段が構成されている。なお、本例では、３６種類の重み付けをして３６種類の指向性に対応した総和信号を生成したが、このような重み付け（指向性）の数としては、システムの使用状況等に応じて、種々な数であってもよい。
【００６１】
また、本例では、複素相関回路４を構成する複素相関演算回路２１が上記のようにして生成される各総和信号（本例では、各指向性に対応した指向性付きフレームデータ）と予め用意されたフレーム同期信号パターン（本例では、上記したＵＷ１〜ＵＷ４）とを乗算して当該各総和信号と当該フレーム同期信号パターンとの相関値（本例では、上記したｃｏｒｒ（ｍ、ｎ））を算出することを複数の乗算タイミングで（本例では、上記したように全てのｎについて）行う機能により、本発明に言う算出手段が構成されている。なお、上記のようにフレーム同期信号パターンは相関値の算出処理が行われる前に用意されていればよく、また、複数の乗算タイミングとしては、必ずしも本例の態様に限られず、種々なタイミングが用いられてもよい。
【００６２】
また、本例では、複素相関回路４を構成する最大値検出回路２２が最大の相関値（本例では、上記した｜ｃｏｒｒ（ｍ、ｎ）｜の最大値）が算出された乗算タイミングに対応した信号位置（本例では、例えば時刻ｎ〜時刻（ｎ＋３）に対応した信号位置）を希望信号に含まれるフレーム同期信号の位置として検出する機能により、本発明に言う検出手段が構成されている。
【００６３】
次に、本発明の第２実施例に係る基地局装置を図６を参照して説明する。
同図には、本例の基地局装置の概略的な構成例を示してあり、この基地局装置には、移動局装置等との間で無線信号を送受信する複数（本例では、２以上のｈ個）のアンテナＲ１〜Ｒｈと、送信処理や受信処理を行う通信処理部４１と、各種の制御等を行う制御部４３とが備えられており、通信処理部４１には例えば上記第１実施例の図１に示したものと同様な機能を有するフレーム同期信号検出回路４２が備えられている。また、基地局装置は例えば有線の回線を介して他の基地局装置と通信可能に接続されている。
【００６４】
通信処理部４１に備えられたフレーム同期信号検出回路４２では、例えば上記第１実施例の図１で示した回路と同様な処理を行うことにより、複数のアンテナＲ１〜Ｒｈを用いて受信される希望信号に含まれるフレーム同期信号の位置を検出する。そして、通信処理部４１では、このようにして検出されたフレーム同期信号の位置に基づいた受信タイミングで希望信号を受信処理（例えばデータの復調処理等）することを行う。
【００６５】
以上のように、本例の基地局装置では、上記第１実施例で示した受信機と同様に、例えば希望信号と等しい電力レベル以上の干渉信号が存在するような環境においても、通信相手となる移動局装置等から無線送信される希望信号に含まれるフレーム同期信号の位置を簡易な構成で正しく検出することができる。
【００６６】
次に、本発明の第３実施例に係る移動局装置を図７を参照して説明する。
同図には、本例の移動局装置の概略的な構成例を示してあり、この移動局装置には、基地局装置等との間で無線信号を送受信する複数（本例では、２以上のｇ個）のアンテナＳ１〜Ｓｇと、送信処理や受信処理を行う通信処理部５１と、各種の制御等を行う制御部５３と、音声を出力するスピーカやデータを出力する表示画面等から構成された出力部５４と、音声を入力するマイクやデータを入力するキーボタン等から構成された入力部５５とが備えられており、通信処理部５１には例えば上記第１実施例の図１に示したものと同様な機能を有するフレーム同期信号検出回路５２が備えられている。
【００６７】
通信処理部５１に備えられたフレーム同期信号検出回路５２では、例えば上記第１実施例の図１で示した回路と同様な処理を行うことにより、複数のアンテナＳ１〜Ｓｇを用いて受信される希望信号に含まれるフレーム同期信号の位置を検出する。そして、通信処理部５１では、このようにして検出されたフレーム同期信号の位置に基づいた受信タイミングで希望信号を受信処理（例えばデータの復調処理等）することを行う。
【００６８】
以上のように、本例の移動局装置では、上記第１実施例で示した受信機と同様に、例えば希望信号と等しい電力レベル以上の干渉信号が存在するような環境においても、通信相手となる基地局装置等から無線送信される希望信号に含まれるフレーム同期信号の位置を簡易な構成で正しく検出することができる。
【００６９】
ここで、本発明に係る受信機や基地局装置や移動局装置の構成としては、必ずしも以上の第１実施例〜第３実施例に示したものに限られず、種々な構成が用いられてもよい。
一例として、本発明に係る受信機や基地局装置や移動局装置の適用分野としては、特に限定はなく、本発明は、例えばＣＤＭＡ方式やＴＤＭＡ方式やＦＤＭＡ方式等の種々な通信方式を用いた通信システムに適用することが可能なものである。また、本発明に係る受信機は、例えば中継増幅装置等に適用することも可能なものである。
【００７０】
また、例えば、本発明に係る受信機や基地局装置や移動局装置により行われるフレーム同期信号検出処理等としては、例えばプロセッサやメモリ等を備えたハードウエア資源においてプロセッサがＲＯＭに格納された制御プログラムを実行することにより制御される構成であってもよく、また、例えば当該処理を実行するための各機能手段が独立したハードウエア回路として構成されてもよい。また、本発明は上記の制御プログラムを格納したフロッピーディスクやＣＤ−ＲＯＭ等のコンピュータにより読み取り可能な記録媒体として把握することもでき、当該制御プログラムを記録媒体からコンピュータに入力してプロセッサに実行させることにより、本発明に係る処理を遂行させることができる。
【００７１】
【発明の効果】
以上説明したように、本発明に係る受信機によると、複数のアンテナを用いて受信した希望信号に含まれるフレーム同期信号の位置を検出するに際して、それぞれのアンテナにより受信した信号を複数の重み付けをして総和することによりこれら複数の指向性に対応した総和信号を生成し、生成した各総和信号と予め用意されたフレーム同期信号パターンとを乗算して当該各総和信号と当該フレーム同期信号パターンとの相関値を算出することを複数の乗算タイミングで行い、最大の相関値が算出された乗算タイミングに対応した信号位置を希望信号に含まれるフレーム同期信号の位置として検出するようにしたため、例えば比較的大きい干渉信号が存在するような環境においても、希望信号に含まれるフレーム同期信号の位置を正しく検出することができる。
【００７２】
また、本発明に係る基地局装置や移動局装置では、例えば上記と同様にして検出したフレーム同期信号の位置に基づいた受信タイミングで希望信号を受信処理することができ、これにより、正確なフレーム同期信号の位置を用いて品質のよい受信処理を行うことができる。
【図面の簡単な説明】
【図１】本発明の第１実施例に係る受信機に備えられたフレーム同期信号検出回路の一例を示す図である。
【図２】ビームフォーミング回路の構成例を示す図である。
【図３】アンテナ指向性の制御の一例を説明するための図である。
【図４】複素相関回路の構成例を示す図である。
【図５】複素相関値の算出結果の一例を示す図である。
【図６】本発明の第２実施例に係る基地局装置の一例を示す図である。
【図７】本発明の第３実施例に係る移動局装置の一例を示す図である。
【図８】従来例に係るフレーム同期信号検出回路の一例を説明するための図である。
【図９】アダプティブアレイアンテナによる指向性パターンの形成例を示す図である。
【符号の説明】
Ｔ１〜Ｔｋ、Ｒ１〜Ｒｈ、Ｓ１〜Ｓｇ・・アンテナ、
１・・直交検波回路、  ２・・記憶回路、  ３・・ビームフォーミング回路、
４・・複素相関回路、  １１・・指向性パターンメモリ、
１２〜１５・・乗算器、  １６、３８・・加算器、  Ｄ１・・フレームデータ、
Ｄ２・・指向性付きフレームデータ、  ２１・・複素相関演算回路、
２２・・最大値検出回路、  ３１〜３３・・遅延線、
３４〜３７・・複素乗算器、  ４１、５１・・通信処理部、
４２、５２・・フレーム同期信号検出回路、  ４３、５３・・制御部、
５４・・出力部、  ５５・・入力部、
【図１】
0004384775.tif 000007
【図２】
0004384775.tif 000008
【図３】
0004384775.tif 000009
【図４】
0004384775.tif 000010
【図５】
0004384775.tif 000011
【図６】
0004384775.tif 000012
【図７】
0004384775.tif 000013
【図８】
0004384775.tif 000014
【図９】
0004384775.tif 000015